(57)【要約】【課題】通信事業者側回線終端装置の下位側に加えて、上位側で異常が発生した場合でも、通信サービスを受けられなくなる可能性を低減する。【解決手段】通信事業者側回線終端装置は、上位ネットワークとの間で情報を送受信する第１および第２上位側送受信手段（ＵＰ  ＬＩＮＫ側送受信部２１Ａ，２１Ｂ）と、第１および第２伝送路を介して加入者側回線終端装置との間で情報を送受信する第１および第２下位側送受信手段（ＰＯＮ  ＬＩＮＫ側送受信部２３Ａ，２３Ｂ）と、第１および第２上位側送受信手段の一方と、第１および第２下位側送受信手段の一方を接続する接続手段（接続切替部２２）と、第１および第２上位側送受信手段、第１および第２下位側送受信手段、第１および第２伝送路、ならびに、通信事業者側回線終端装置の状態に応じて、接続手段の接続状態を切り替える制御を行う制御手段（総合監視制御部３０）と、を有する。【選択図】図１
2016195343.tif 000002
【特許請求の範囲】
【請求項１】
通信事業者側回線終端装置と、加入者側回線終端装置と、これらを接続する第１および第２伝送路とを少なくとも有し、
前記第１および第２伝送路のいずれか一方を伝送される光信号を前記加入者側回線終端装置に供給するとともに、前記加入者側回線終端装置から出力される光信号を前記第１および第２伝送路のいずれか一方に供給するネットワークシステムにおいて、
前記通信事業者側回線終端装置は、
上位ネットワークとの間で情報を送受信する第１および第２上位側送受信手段と、
前記第１および第２伝送路のいずれか一方を介して前記加入者側回線終端装置との間で情報を送受信する第１および第２下位側送受信手段と、
前記第１および第２下位側送受信手段から送信される電気信号を光信号に変換して前記第１および第２伝送路にそれぞれ供給するとともに、前記第１および第２伝送路から供給される光信号を電気信号にそれぞれ変換して前記第１および第２下位側送受信手段に送信する第１および第２光電変換手段と、
前記第１および第２下位側送受信手段ならびに前記第１および第２伝送路の４つのうちの少なくとも一つの状態と、前記第１および第２上位側送受信手段の少なくとも一方の状態とに応じて、前記第１および第２上位側送受信手段のいずれか一方を経由する前記情報の送受信を停止させるとともに、前記第１および第２光電変換手段のいずれか一方を経由する前記情報の送受信を停止させる制御を行う制御手段と、
を有することを特徴とするネットワークシステム。
【請求項２】
前記第１および第２伝送路を伝送される光信号を合波して前記加入者側回線終端装置に供給するとともに、前記加入者側回線終端装置から出力される光信号を分波して前記第１および第２伝送路に供給するカプラを有する事を特徴とする、請求項１に記載のネットワークシステム。
【請求項３】
前記第１および第２上位側送受信手段のいずれか一方と、前記第１および第２下位側送受信手段のいずれか一方を接続する接続手段を有し、
前記制御手段は、前記第１および第２上位側送受信手段、ならびに、前記第１、第２下位側送受信手段、前記第１および前記第２伝送路のうち少なくとも一つの状態に応じて、前記接続手段の接続を切り替える制御を行う、
ことを特徴とする請求項１または２に記載のネットワークシステム。
【請求項４】
前記制御手段は、前記第１および第２上位側送受信手段のうちの正常と判断したいずれか一方と、前記第１および第２下位側送受信手段のうちの正常と判断したいずれか一方とを接続するように前記接続手段を制御することを特徴とする請求項３に記載のネットワークシステム。
【請求項５】
前記制御手段は、前記第１および第２上位側送受信手段の双方を正常と判断し、前記第１および第２下位側送受信手段の双方を正常と判断した場合には、前記第１および第２上位側送受信手段のいずれか一方と、前記第１および第２下位側送受信手段のいずれか一方とを互いに選択して接続するように前記接続手段を制御することを特徴とする請求項４に記載のネットワークシステム。
【請求項６】
前記制御手段は、前記接続手段によって接続状態を切り替える際には、選択しない他方の上位側送受信手段および光電変換手段の動作を停止させた後に、接続状態を切り替えることを特徴とする請求項３乃至５のいずれか１項に記載のネットワークシステム。
【請求項７】
前記第１および第２光電変換手段は、それぞれ異なる波長からなる光信号を前記第１および第２伝送路に供給し、
前記制御手段は、前記第１および第２下位側送受信手段ならびに前記第１および第２伝送路の４つのうちの少なくとも一つの状態と、前記第１および第２上位側送受信手段の少なくとも一方の状態とに応じて、前記第１および第２下位側送受信手段のいずれか一方の出力を停止または他方に影響を与えない範囲に低下させる事を特徴とする、請求項１乃至６のいずれか１項に記載のネットワークシステム。
【請求項８】
前記制御手段は、前記第１および第２下位側送受信手段ならびに前記第１および第２伝送路の４つのうちの少なくとも一つの状態と、前記第１および第２上位側送受信手段の少なくとも一方の状態とに応じて、前記第１および第２光電変換手段のいずれか一方の出力を停止または他方に影響を与えない範囲に低下させる事を特徴とする、請求項１乃至７のいずれか１項に記載のネットワークシステム。
【請求項９】
通信事業者側回線終端装置と、加入者側回線終端装置と、これらを接続する第１および第２伝送路とを少なくとも有し、前記第１および第２伝送路のいずれか一方を伝送される光信号を前記加入者側回線終端装置に供給するとともに、前記加入者側回線終端装置から出力される光信号を前記第１および第２伝送路のいずれか一方に供給するネットワークシステムの前記通信事業者側回線終端装置において、
上位ネットワークとの間で情報を送受信する第１および第２上位側送受信手段と、
前記第１および第２伝送路のいずれか一方を介して前記加入者側回線終端装置との間で情報を送受信する第１および第２下位側送受信手段と、
前記第１および第２下位側送受信手段から送信される電気信号を光信号に変換して前記第１および第２伝送路にそれぞれ供給するとともに、前記第１および第２伝送路から供給される光信号を電気信号にそれぞれ変換して前記第１および第２下位側送受信手段に送信する第１および第２光電変換手段と、
前記第１および第２下位側送受信手段ならびに前記第１および第２伝送路の４つのうちの少なくとも一つの状態と、前記第１および第２上位側送受信手段の少なくとも一方の状態とに応じて、前記第１および前記第２上位側送受信手段のいずれか一方を経由する前記情報の送受信を停止させるとともに、前記第１および第２光電変換手段のいずれか一方を経由する前記情報の送受信を停止させる制御を行う制御手段と、を有することを特徴とする通信事業者側回線終端装置。
【請求項１０】
通信事業者側回線終端装置と、加入者側回線終端装置と、これらを接続する第１および第２伝送路とを少なくとも有し、
前記第１および第２伝送路のいずれか一方を伝送される光信号を前記加入者側回線終端装置に供給するとともに、前記加入者側回線終端装置から出力される光信号を前記第１および第２伝送路のいずれか一方に供給するネットワークシステムにおいて、
前記通信事業者側回線終端装置は、
上位ネットワークとの間で情報を送受信する第１および第２上位側送受信手段と、
前記第１および第２伝送路のいずれか一方を介して前記加入者側回線終端装置との間で情報を送受信する第１および第２下位側送受信手段と、
前記第１および第２上位側送受信手段のいずれか一方と、前記第１および第２下位側送受信手段のいずれか一方とを接続する接続手段と、
前記第１および第２下位側送受信手段ならびに前記第１および第２伝送路の４つのうちの少なくとも一つの状態と、前記第１および第２上位側送受信手段の少なくとも一方の状態とに応じて、前記接続手段の接続を切り替える制御を行う制御手段と、
を有することを特徴とするネットワークシステム。
【請求項１１】
通信事業者側回線終端装置と、加入者側回線終端装置と、これらを接続する第１および第２伝送路とを少なくとも有し、前記第１および第２伝送路のいずれか一方を伝送される光信号を前記加入者側回線終端装置に供給するとともに、前記加入者側回線終端装置から出力される光信号を前記第１および第２伝送路のいずれか一方に供給するネットワークシステムの前記通信事業者側回線終端装置において、
上位ネットワークとの間で情報を送受信する第１および第２上位側送受信手段と、
前記第１および第２伝送路のいずれか一方を介して前記加入者側回線終端装置との間で情報を送受信する第１および第２下位側送受信手段と、
前記第１および第２上位側送受信手段のいずれか一方と、前記第１および第２下位側送受信手段のいずれか一方を接続する接続手段と、
前記第１および第２下位側送受信手段ならびに前記第１および第２伝送路の４つのうちの少なくとも一つの状態と、前記第１および第２上位側送受信手段の少なくとも一方の状態とに応じて、前記接続手段の接続を切り替える制御を行う制御手段と、
を有することを特徴とする通信事業者側回線終端装置。
【発明の詳細な説明】
【技術分野】
【０００１】
本発明は、ネットワークシステムおよび通信事業者側回線終端装置に関するものである。
【背景技術】
【０００２】
特許文献１に開示されたＰＯＮシステムでは、図６に示すように、ＯＮＵ１０４は、異なる通信経路でＯＬＴ１０１に接続された複数のＰＯＮインタフェース１４１，１４２を備え、ＯＬＴ１０１は、ＰＯＮインタフェース１４１，１４２を介して各ＯＮＵ１０４との間で信号の送受信を行う光送受信部１１１，１１２と、光送受信部１１１，１１２から通信経路の通信品質を示すパラメータを取得し、このパラメータに基づいて当該通信経路の異常を検知する通信パラメータ監視制御部１１３，１１４と、使用する通信経路を選択するスイッチ部１１６と、通信パラメータ監視制御部１１３，１１４による監視結果に基づいて、通信経路の切替えをスイッチ部１１６に指示するスイッチ制御部１１５と、を備えている。
【先行技術文献】
【特許文献】
【０００３】
【特許文献１】特開２０１３−１９７６９０号公報
【発明の概要】
【発明が解決しようとする課題】
【０００４】
ところで、特許文献１に開示された技術では、ＯＬＴ１０１（通信事業者側回線終端装置）の上位側で異常が発生した場合には、通信サービスを受けられなくなってしまう可能性が高いという問題点がある。
【０００５】
本発明は、通信事業者側回線終端装置の下位側に加えて、上位側で異常が発生した場合でも、通信サービスを受けられなくなる可能性を低減できるネットワークシステムおよび通信事業者側回線終端装置を提供することを目的としている。
【課題を解決するための手段】
【０００６】
上記課題を解決するために、本発明は、通信事業者側回線終端装置と、加入者側回線終端装置と、これらを接続する第１および第２伝送路とを少なくとも有し、前記第１および第２伝送路のいずれか一方を伝送される光信号を前記加入者側回線終端装置に供給するとともに、前記加入者側回線終端装置から出力される光信号を前記第１および第２伝送路のいずれか一方に供給するネットワークシステムにおいて、前記通信事業者側回線終端装置は、上位ネットワークとの間で情報を送受信する第１および第２上位側送受信手段と、前記第１および第２伝送路のいずれか一方を介して前記加入者側回線終端装置との間で情報を送受信する第１および第２下位側送受信手段と、前記第１および第２下位側送受信手段から送信される電気信号を光信号に変換して前記第１および第２伝送路にそれぞれ供給するとともに、前記第１および第２伝送路から供給される光信号を電気信号にそれぞれ変換して前記第１および第２下位側送受信手段に送信する第１および第２光電変換手段と、前記第１および第２下位側送受信手段ならびに前記第１および第２伝送路の４つのうちの少なくとも一つの状態と、前記第１および第２上位側送受信手段の少なくとも一方の状態とに応じて、前記第１および第２上位側送受信手段のいずれか一方を経由する前記情報の送受信を停止させるとともに、前記第１および第２光電変換手段のいずれか一方を経由する前記情報の送受信を停止させる制御を行う制御手段と、を有することを特徴とする。
このような構成によれば、通信事業者側回線終端装置の上位側で異常が発生した場合でも通信サービスを受けられなくなる可能性を低減できる。
【０００７】
また、本発明は、前記第１および第２伝送路を伝送される光信号を合波して前記加入者側回線終端装置に供給するとともに、前記加入者側回線終端装置から出力される光信号を分波して前記第１および第２伝送路に供給するカプラを有する事を特徴とする。
このような構成によれば、第１および第２伝送路によって伝送路を多重化することができる。
【０００８】
また、本発明は、前記第１および第２上位側送受信手段のいずれか一方と、前記第１および第２下位側送受信手段のいずれか一方を接続する接続手段を有し、前記制御手段は、前記第１および第２上位側送受信手段、ならびに、前記第１、第２下位側送受信手段、前記第１および前記第２伝送路のうち少なくとも一つの状態に応じて、前記接続手段の接続を切り替える制御を行う、ことを特徴とする。
このような構成によれば、接続手段によって系の切り替えを容易に行うことができる。
【０００９】
また、本発明は、前記制御手段は、前記第１および第２上位側送受信手段のうちの正常と判断したいずれか一方と、前記第１および第２下位側送受信手段のうちの正常と判断したいずれか一方とを接続するように前記接続手段を制御することを特徴とする。
このような構成によれば、正常な側を選択して接続することで、上位側と下位側の双方で異常が発生した場合でも、通信サービスを継続して提供することができる。
【００１０】
また、本発明は、前記制御手段は、前記第１および第２上位側送受信手段の双方を正常と判断し、前記第１および第２下位側送受信手段の双方を正常と判断した場合には、前記第１および第２上位側送受信手段のいずれか一方と、前記第１および第２下位側送受信手段のいずれか一方とを互いに選択して接続するように前記接続手段を制御することを特徴とする。
このような構成によれば、上位側と下位側の双方が正常な場合には、予め決められている側を選択することで、装置の構成を簡易化することができる。
【００１１】
また、本発明は、前記制御手段は、前記接続手段によって接続状態を切り替える際には、選択しない他方の上位側送受信手段および光電変換手段の動作を停止させた後に、接続状態を切り替えることを特徴とする。
このような構成によれば、不要なデータがネットワークに送出されることを防止できる。
【００１２】
また、本発明は、前記第１および第２光電変換手段は、それぞれ異なる波長からなる光信号を前記第１および第２伝送路に供給し、前記制御手段は、前記第１および第２下位側送受信手段ならびに前記第１および第２伝送路の４つのうちの少なくとも一つの状態と、前記第１および第２上位側送受信手段の少なくとも一方の状態とに応じて、前記第１および第２下位側送受信手段のいずれか一方の出力を停止または他方に影響を与えない範囲に低下させる事を特徴とする。
このような構成によれば、より簡易な制御で異常が発生した系を停止させることができる。
【００１３】
また、本発明は、前記制御手段は、前記第１および第２下位側送受信手段ならびに前記第１および第２伝送路の４つのうちの少なくとも一つの状態と、前記第１および第２上位側送受信手段の少なくとも一方の状態とに応じて、前記第１および第２光電変換手段のいずれか一方の出力を停止または他方に影響を与えない範囲に低下させる事を特徴とする。
このような構成によれば、より簡易な制御で異常が発生した系を停止させることができる。
【００１４】
また、本発明は、通信事業者側回線終端装置と、加入者側回線終端装置と、これらを接続する第１および第２伝送路とを少なくとも有し、前記第１および第２伝送路のいずれか一方を伝送される光信号を前記加入者側回線終端装置に供給するとともに、前記加入者側回線終端装置から出力される光信号を前記第１および第２伝送路のいずれか一方に供給するネットワークシステムの前記通信事業者側回線終端装置において、上位ネットワークとの間で情報を送受信する第１および第２上位側送受信手段と、前記第１および第２伝送路のいずれか一方を介して前記加入者側回線終端装置との間で情報を送受信する第１および第２下位側送受信手段と、前記第１および第２下位側送受信手段から送信される電気信号を光信号に変換して前記第１および第２伝送路にそれぞれ供給するとともに、前記第１および第２伝送路から供給される光信号を電気信号にそれぞれ変換して前記第１および第２下位側送受信手段に送信する第１および第２光電変換手段と、前記第１および第２下位側送受信手段ならびに前記第１および第２伝送路の４つのうちの少なくとも一つの状態と、前記第１および第２上位側送受信手段の少なくとも一方の状態とに応じて、前記第１および前記第２上位側送受信手段のいずれか一方を経由する前記情報の送受信を停止させるとともに、前記第１および第２光電変換手段のいずれか一方を経由する前記情報の送受信を停止させる制御を行う制御手段と、を有することを特徴とする。
このような構成によれば、通信事業者側回線終端装置の下位側に加えて、上位側で異常が発生した場合でも通信サービスを受けられなくなる可能性を低減できる。
【００１５】
また、本発明は、通信事業者側回線終端装置と、加入者側回線終端装置と、これらを接続する第１および第２伝送路とを少なくとも有し、前記第１および第２伝送路のいずれか一方を伝送される光信号を前記加入者側回線終端装置に供給するとともに、前記加入者側回線終端装置から出力される光信号を前記第１および第２伝送路のいずれか一方に供給するネットワークシステムにおいて、前記通信事業者側回線終端装置は、上位ネットワークとの間で情報を送受信する第１および第２上位側送受信手段と、前記第１および第２伝送路のいずれか一方を介して前記加入者側回線終端装置との間で情報を送受信する第１および第２下位側送受信手段と、前記第１および第２上位側送受信手段のいずれか一方と、前記第１および第２下位側送受信手段のいずれか一方とを接続する接続手段と、前記第１および第２下位側送受信手段ならびに前記第１および第２伝送路の４つのうちの少なくとも一つの状態と、前記第１および第２上位側送受信手段の少なくとも一方の状態とに応じて、前記接続手段の接続を切り替える制御を行う制御手段と、を有することを特徴とする。
このような構成によれば、通信事業者側回線終端装置の下位側に加えて、上位側で異常が発生した場合でも通信サービスを受けられなくなる可能性を低減できる。
【００１６】
また、本発明は、通信事業者側回線終端装置と、加入者側回線終端装置と、これらを接続する第１および第２伝送路とを少なくとも有し、前記第１および第２伝送路のいずれか一方を伝送される光信号を前記加入者側回線終端装置に供給するとともに、前記加入者側回線終端装置から出力される光信号を前記第１および第２伝送路のいずれか一方に供給するネットワークシステムの前記通信事業者側回線終端装置において、上位ネットワークとの間で情報を送受信する第１および第２上位側送受信手段と、前記第１および第２伝送路のいずれか一方を介して前記加入者側回線終端装置との間で情報を送受信する第１および第２下位側送受信手段と、前記第１および第２上位側送受信手段のいずれか一方と、前記第１および第２下位側送受信手段のいずれか一方を接続する接続手段と、前記第１および第２下位側送受信手段ならびに前記第１および第２伝送路の４つのうちの少なくとも一つの状態と、前記第１および第２上位側送受信手段の少なくとも一方の状態とに応じて、前記接続手段の接続を切り替える制御を行う制御手段と、を有することを特徴とする。
このような構成によれば、通信事業者側回線終端装置の下位側に加えて、上位側で異常が発生した場合でも通信サービスを受けられなくなる可能性を低減できる。
【発明の効果】
【００１７】
本発明によれば、通信事業者側回線終端装置の下位側に加えて、上位側で異常が発生した場合でも、通信サービスを受けられなくなる可能性を低減できるネットワークシステムおよび通信事業者側回線終端装置を提供することが可能となる。
【図面の簡単な説明】
【００１８】
【図１】本発明の第１実施形態に係るネットワークシステムの構成例を示す図である。
【図２】図１の動作を説明する図である。
【図３】図１に示す第１実施形態において実行される処理の一例を説明するフローチャートである。
【図４】本発明の第２実施形態に係るネットワークシステムの構成例を示す図である。
【図５】本発明の変形実施形態に係るネットワークシステムの構成例を示す図である。
【図６】従来のネットワークシステムの構成を示す図である。
【発明を実施するための形態】
【００１９】
次に、本発明の実施形態について説明する。
【００２０】
（Ａ）本発明の第１実施形態の構成の説明
図１は、本発明の第１実施形態に係るネットワークシステムの構成例を示す図である。この図に示すように、第１実施形態に係るネットワークシステムは、上位ネットワーク１０、通信事業者側ＰＯＮ（Passive Optical Network）  Ｉ／Ｆ（Interface）２０、総合監視制御部３０、伝送路４０、カプラ５０、加入者側ＰＯＮ  Ｉ／Ｆ６０−１〜６０−ｎ、および、ＰＣ（Personal Computer）６１−１〜６１−ｎを主要な構成要素としている。なお、図１では、１台の通信事業者側ＰＯＮ  Ｉ／Ｆ２０を例示しているが、複数の通信事業者側ＰＯＮ  Ｉ／Ｆを接続し、総合監視制御部３０によって制御するようにしてもよい。
【００２１】
上位ネットワーク１０は、例えば、インターネットやＷＡＮ（Wide Area Network）等によって構成され、上位ネットワーク１０を介して他の通信相手との間で情報の授受を行う。
【００２２】
通信事業者側ＰＯＮ  Ｉ／Ｆ２０は、通信事業者側に設置される光終端装置であり、上位ネットワーク１０から受信した信号を伝送路４０に送出するとともに、伝送路４０から受信した信号を上位ネットワークに送出する機能を有している。通信事業者側ＰＯＮ  Ｉ／Ｆ２０は、ＵＰ  ＬＩＮＫ側送受信部２１Ａ，２１Ｂ、接続切替部２２、ＰＯＮ  ＬＩＮＫ側送受信部２３Ａ，２３Ｂ、光電変換部２４Ａ，２４Ｂ、および、ＰＯＮ  Ｉ／Ｆ制御部２５を有している。なお、ＵＰ  ＬＩＮＫ側送受信部２１Ａ，２１Ｂ、ＰＯＮ  ＬＩＮＫ側送受信部２３Ａ，２３Ｂおよび光電変換部２４Ａ，２４Ｂは、二重化されており、これらは互いに同様の機能を有している。
【００２３】
ここで、ＵＰ  ＬＩＮＫ側送受信部２１Ａ，２１Ｂは、上位ネットワーク１０との間でリンクを形成して信号を送受信する。ＵＰ  ＬＩＮＫ側送受信部２１Ａ，２１Ｂは、検出部２１Ａ１，２１Ｂ１および制御部２１Ａ２，２１Ｂ２を有し、検出部２１Ａ１，２１Ｂ１によって、上位ネットワーク間とのリンク状態や通信状態、ＵＰ  ＬＩＮＫ側送受信部２１Ａ，２１Ｂの動作状態を検出してＰＯＮ  Ｉ／Ｆ制御部２５に通知するとともに、制御部２１Ａ２，２１Ｂ２によって動作状態を制御する。
【００２４】
接続切替部２２は、例えば、集積回路等によって構成され、４つのポートＰ１〜Ｐ４を有し、ポートＰ１，Ｐ２はＵＰ  ＬＩＮＫ側送受信部２１Ａ，２１Ｂにそれぞれ接続され、ポートＰ３，Ｐ４はＰＯＮ  ＬＩＮＫ側送受信部２３Ａ，２３Ｂにそれぞれ接続されている。接続切替部２２は、ＰＯＮ  Ｉ／Ｆ制御部２５によって制御され、ポートＰ１とポートＰ３、および、ポートＰ２とポートＰ４をそれぞれ接続する平行接続状態と、ポートＰ１とポートＰ４、および、ポートＰ２とポートＰ３をそれぞれ接続する交差接続状態のいずれかを選択する。
【００２５】
ＰＯＮ  ＬＩＮＫ側送受信部２３Ａ，２３Ｂは、加入者側ＰＯＮ  Ｉ／Ｆとの間でリンクを形成し、接続切替部２２を介してＵＰ  ＬＩＮＫ側送受信部２１Ａ，２１Ｂから供給される電気信号を光電変換部２４Ａ，２４Ｂに対して供給するとともに、光電変換部２４Ａ，２４Ｂから供給される電気信号を接続切替部２２を介してＵＰ  ＬＩＮＫ側送受信部２１Ａ，２１Ｂに供給する。ＰＯＮ  ＬＩＮＫ側送受信部２３Ａ，２３Ｂは、検出部２３Ａ１，２３Ｂ１および制御部２３Ａ２，２３Ｂ２をそれぞれ有している。検出部２３Ａ１，２３Ｂ１は、光電変換部２４Ａ，２４Ｂから供給される電気信号の内容に基づいて、物理的なリンク断、加入者側ＰＯＮ  Ｉ／Ｆの電源断、加入者側ＰＯＮ  Ｉ／Ｆとの論理リンク（ＰＯＮリンク）断等を検出し、ＰＯＮ  Ｉ／Ｆ制御部２５に通知する。制御部２３Ａ２，２３Ｂ２は、ＰＯＮ  Ｉ／Ｆ制御部２５からの制御信号に基づいてＰＯＮ  ＬＩＮＫ側送受信部２３Ａ，２３Ｂの動作を制御する。
【００２６】
光電変換部２４Ａ，２４Ｂは、ＰＯＮ  ＬＩＮＫ側送受信部２３Ａ，２３Ｂから供給される電気信号を光信号に変換して伝送路４０に送出するとともに、伝送路４０を介して伝送される光信号を電気信号に変換してＰＯＮ  ＬＩＮＫ側送受信部２３Ａ，２３Ｂに供給する。光電変換部２４Ａ，２４Ｂは、検出部２４Ａ１，２４Ｂ１および制御部２４Ａ２，２４Ｂ２をそれぞれ有している。検出部２４Ａ１，２４Ｂ１は、光電変換部２４Ａ，２４Ｂ自身の故障を検出するとともに、光信号に含まれている信号レベルの低下等を検出し、ＰＯＮ  Ｉ／Ｆ制御部２５に通知する。また、制御部２４Ａ２，２４Ｂ２は、ＰＯＮ  Ｉ／Ｆ制御部２５による制御に応じて、光信号の送出を停止または開始する。
【００２７】
ＰＯＮ  Ｉ／Ｆ制御部２５は、検出部２１Ａ１，２１Ｂ１，２３Ａ１，２３Ｂ１，２４Ａ１，２４Ｂ１の検出結果を総合監視制御部３０に通知する。また、ＰＯＮ  Ｉ／Ｆ制御部２５は、総合監視制御部３０からの制御信号に応じて制御部２１Ａ２，２１Ｂ２，２４Ａ２，２４Ｂ２を制御するとともに、接続切替部２２の接続状態を切り替える。
【００２８】
総合監視制御部３０は、ＰＯＮ  Ｉ／Ｆ制御部２５と接続され、例えば、通信事業者側ＰＯＮ  Ｉ／Ｆ２０および加入者側ＰＯＮ  Ｉ／Ｆ６０−１〜６０−ｎの設定情報を送受信するとともに、通信事業者側ＰＯＮ  Ｉ／Ｆ２０および加入者側ＰＯＮ  Ｉ／Ｆ６０−１〜６０−ｎの監視を行う。また、総合監視制御部３０は、接続切替部２２の接続状態を監視するとともに、その制御を行う。
【００２９】
伝送路４０は、二重化された光ファイバ等の光伝送路４０Ａ，４０Ｂによって構成され、光電変換部２４Ａ，２４Ｂから出力される光信号をカプラ５０に伝送するとともに、カプラ５０から出力される光信号を光電変換部２４Ａ，２４Ｂに伝送する。
【００３０】
カプラ５０は、２：ｎカプラによって構成され、光伝送路４０Ａ，４０Ｂから出力される光信号をｎ分波して加入者側ＰＯＮ  Ｉ／Ｆ６０−１〜６０−ｎに出力する。また、カプラ５０は、加入者側ＰＯＮ  Ｉ／Ｆ６０−１〜６０−ｎから出力される光信号を合波するとともに２分波して光伝送路４０Ａ，４０Ｂに送出する。なお、カプラ５０は２：１カプラと１：ｎカプラに分かれていても良いし、２：１カプラと１：ｎカプラの間に図示しない光伝送路が挿入されていても良い。
【００３１】
加入者側ＰＯＮ  Ｉ／Ｆ６０−１〜６０−ｎは、サービスの加入者宅に配置される光終端装置であり、伝送路４０を伝送される光信号を電気信号に変換し、サービス加入者に提供するとともに、サービス加入者の操作に応じた情報等を含む電気信号を光信号に変換し、伝送路４０へ送出する。
【００３２】
ＰＣ６１−１〜６１−ｎは、サービス加入者の操作に応じた情報等を加入者側ＰＯＮ  Ｉ／Ｆ６０−１〜６０−ｎを介して伝送路４０に送出するとともに、ＰＯＮ  Ｉ／Ｆ６０−１〜６０−ｎを介して伝送路４０から伝送されてきた情報を、例えば、テキスト、音声、映像として提示する。
【００３３】
（Ｂ）本発明の第１実施形態の動作の説明
つぎに、本発明の第１実施形態の動作を説明する。第１実施形態では、ネットワークシステムにおいて異常（または障害）の発生を検出した場合に、この異常が接続切替部２２の上位側、または、下位側のいずれで発生したかを検出し、発生箇所に応じて総合監視制御部３０およびＰＯＮ  Ｉ／Ｆ制御部２５が接続切替部２２の接続状態を切り替える。
【００３４】
より詳細には、接続切替部２２の上位側で発生する異常の例としては、以下のものを挙げることができる。なお、以下は一例であって、これら以外の異常を検出するようにしてもよい。
（１−１）ＵＰ  ＬＩＮＫ側送受信部２１Ａ，２１Ｂ自体に異常が発生した場合
（１−２）ＵＰ  ＬＩＮＫ側送受信部２１Ａ，２１Ｂと上位ネットワーク１０の間における物理的または論理的なリンクが断の状態になった場合
【００３５】
また、接続切替部２２の下位側で発生する異常の例としては、以下のものを挙げることができる。なお、以下は一例であって、これら以外の異常を検出するようにしてもよい。
（２−１）光伝送路４０Ａ，４０Ｂに異常（断線等）が発生した場合
（２−２）光電変換部２４Ａ，２４Ｂ自体に異常が発生した場合
（２−３）光電変換部２４Ａ，２４Ｂに入出力される光信号にレベル異常が発生した場合
（２−４）ＰＯＮ  ＬＩＮＫ側送受信部２３Ａ，２３Ｂ自体に異常が発生した場合
（２−５）ＰＯＮ  ＬＩＮＫ側送受信部２３Ａ，２３Ｂと加入者側ＰＯＮ  Ｉ／Ｆ６０−１〜６０−ｎとの論理リンクが断の状態になった場合、または、信号異常（ＣＲＣ（Cyclic Redundancy Check）エラー等）が発生した場合
【００３６】
なお、下位側Ａ系と下位側Ｂ系とがそれぞれ正常であるか否かは、光電変換部２４Ａ，２４Ｂ、ＰＯＮ  ＬＩＮＫ側送受信部２３Ａ，２４Ｂ等に入出力される信号のレベルが閾値を超えるか否か等により判断してもよい。より詳細には、例えば、光伝送路４０Ａ，４０Ｂに異常が発生した場合には、該異常により光電変換部２４Ａ,２４Ｂに入力される光信号の強度が弱くなる場合があるため、光電変換部２４Ａ，２４Ｂに入力される光信号の強度が所定の閾値より低くなった場合に、伝送路４０Ａ，４０Ｂに異常が発生したことを検出するようにしてもよい。
【００３７】
図２は、接続切替部２２の上位側および下位側の状態と、接続切替部２２の接続状態の関係の一例を示す図である。ここで、図２（ａ）は、接続切替部２２の上位側の状態と、接続切替部２２の選択状態を示す図である。なお、以下では、ＵＰ  ＬＩＮＫ側送受信部２１Ａを上位側Ａ系とし、ＵＰ  ＬＩＮＫ側送受信部２１Ｂを上位側Ｂ系とする。例えば、接続切替部２２の上位側Ａ系と上位側Ｂ系の双方が正常である場合（図２（ａ）の１行目の場合）には、接続切替部２２は、予め定められている上位側Ａ系を選択する。また、上位側Ａ系が正常で、上位側Ｂ系が異常である場合（図２（ａ）の２行目の場合）には、接続切替部２２は、上位側Ａ系を選択する。また、上位側Ａ系が異常で、上位側Ｂ系が正常である場合（図２（ａ）の３行目の場合）には、接続切替部２２は、上位側Ｂ系を選択する。また、上位側Ａ系と上位側Ｂ系の双方が異常である場合（図２（ａ）の４行目の場合）には、エラーと判断し、その場合にはいずれも選択しない。なお、接続されている上位側、下位側双方が正常である場合は、接続されていない上位側、下位側の一方または双方における異常発生の検出を適宜省略してもよい。
【００３８】
なお、接続切替部２２の上位側Ａ系と上位側Ｂ系の双方が正常である場合には、必ずしもＡ系とする必要はなく、例えば、直前の選択状態を保持するようにしても良い。また、接続切替部２２の上位側Ａ系と上位側Ｂ系の双方が異常である場合には必ずしも選択しない状態にする必要はなく、例えば、直前の選択状態を保持するようにしても良い。
【００３９】
図２（ｂ）は、接続切替部２２の下位側の状態と、接続切替部２２の選択状態を示す図である。なお、以下では、ＰＯＮ  ＬＩＮＫ側送受信部２３Ａ、光電変換部２４Ａ、および、光伝送路４０Ａを下位側Ａ系と示し、ＰＯＮ  ＬＩＮＫ側送受信部２３Ｂ、光電変換部２４Ｂ、および、光伝送路４０Ｂを下位側Ｂ系と示す。例えば、下位側Ａ系と下位側Ｂ系の双方が正常である場合（図２（ｂ）の１行目の場合）には、接続切替部２２は、予め定められている下位側Ａ系を選択する。また、下位側Ａ系が正常で、下位側Ｂ系が異常である場合（図２（ｂ）の２行目の場合）には、接続切替部２２は、下位側Ａ系を選択する。また、下位側Ａ系が異常で、下位側Ｂ系が正常である場合（図２（ｂ）の３行目の場合）には、接続切替部２２は、下位側Ｂ系を選択する。また、下位側Ａ系と下位側Ｂ系の双方が異常である場合（図２（ｂ）の４行目の場合）には、エラーと判断し、その場合にはいずれも選択しない。なお、下位側Ａ系と下位側Ｂ系とがそれぞれ正常であるか否かは、検出部２４Ａ１，２４Ｂ１に入出力される光信号のレベルが閾値を超えるか否か等により判断してもよい。なお、接続切替部２２の下位側Ａ系と下位側Ｂ系の双方が正常である場合には、必ずしもＡ系とする必要はなく、例えば直前の状態を保持するようにしても良い。また、接続切替部２２の下位側Ａ系と下位側Ｂ系の双方が異常である場合には必ずしも選択しない状態にする必要はなく、例えば直前の状態を保持するようにしても良い。
【００４０】
図２（ｃ）は、接続切替部２２の上位側と下位側の選択状態と、内部の接続状態の関係を示す図である。例えば、図２（ｃ）の１行目に示すように、上位側Ａ系と下位側Ａ系を選択している場合には、接続切替部２２の内部の接続状態は平行接続となる。すなわち、接続切替部２２はポートＰ１とポートＰ３が接続された状態となる。また、図２（ｃ）の２行目に示すように、上位側Ａ系と下位側Ｂ系を選択している場合には、接続切替部２２の内部の接続状態は交差接続となる。すなわち、接続切替部２２はポートＰ１とポートＰ４が接続された状態となる。また、図２（ｃ）の３行目に示すように、上位側Ｂ系と下位側Ａ系を選択している場合には、接続切替部２２の内部の接続状態は交差接続となる。すなわち、接続切替部２２はポートＰ２とポートＰ３が接続された状態となる。さらに、図２（ｃ）の４行目に示すように、上位側Ｂ系と下位側Ｂ系を選択している場合には、接続切替部２２の内部の接続状態は平行接続となる。すなわち、接続切替部２２はポートＰ２とポートＰ４が接続された状態となる。なお、上位側Ａ系、Ｂ系の双方について、または、下位側Ａ系、Ｂ系の双方について、選択を行わない場合、上位側Ａ系、Ｂ系および下位側Ａ系、Ｂ系はいずれも接続されない状態となる。
【００４１】
ＰＯＮ  Ｉ／Ｆ制御部２５は、検出部２１Ａ，２１Ｂの検出結果に基づいて、前述した（１−１）ＵＰ  ＬＩＮＫ側送受信部２１Ａ，２１Ｂ自体の異常の有無と、（１−２）ＵＰ  ＬＩＮＫ側送受信部２１Ａ，２１Ｂと上位ネットワークの間における物理的または論理的なリンクの断状態の有無等を判定し、これらの少なくとも一つに該当する場合には、上位側で異常が発生していると判定し、総合監視制御部３０に通知する。
【００４２】
また、ＰＯＮ  Ｉ／Ｆ制御部２５は、検出部２３Ａ，２３Ｂおよび検出部２４Ａ，２４Ｂの検出結果に基づいて、前述した（２−１）光伝送路４０Ａ，４０Ｂの異常の有無、（２−２）光電変換部２４Ａ，２４Ｂ自体の異常の有無、（２−３）光電変換部２４Ａ，２４Ｂに入出力される光信号のレベル異常、（２−４）ＰＯＮ  ＬＩＮＫ側送受信部２３Ａ，２３Ｂ自体の異常の有無、（２−５）ＰＯＮ  ＬＩＮＫ側送受信部２３Ａ，２３Ｂと加入者側ＰＯＮ  Ｉ／Ｆ６０−１〜６０−ｎとの論理リンクの断状態や信号異常の有無等を判定し、これらの少なくとも一つに該当する場合には、下位側で異常が発生していると判定し、総合監視制御部３０に通知する。
【００４３】
総合監視制御部３０は、ＰＯＮ  Ｉ／Ｆ制御部２５からの通知に基づいて、通信事業者側ＰＯＮ  Ｉ／Ｆ２５を制御する。例えば、検出部２１Ａ，２１Ｂの検出結果により、上位側Ａ系および上位側Ｂ系の双方が正常と判断し、また、検出部２３Ａ，２３Ｂおよび検出部２４Ａ，２４Ｂの検出結果により、下位側Ａ系および上位側Ｂ系の双方が正常と判断したとする。
【００４４】
このような場合、上位側は図２（ａ）の１行目に該当するので、総合監視制御部３０は、「上位側Ａ系」を選択すると判断し、ＰＯＮ  Ｉ／Ｆ制御部２５に対して、ＵＰ  ＬＩＮＫ側送受信部２１Ｂの動作を停止するように指示するとともに、ＵＰ  ＬＩＮＫ側送受信部２１Ａを選択するように指示する。また、総合監視制御部３０は、ＰＯＮ  Ｉ／Ｆ制御部２５に対し、ＵＰ  ＬＩＮＫ側送受信部２１Ａの動作を開始するように指示する。この結果、ＰＯＮ  Ｉ／Ｆ制御部２５は、ＵＰ  ＬＩＮＫ側送受信部２１Ｂの制御部２１Ｂ２に対して動作を停止するように指示するとともに、接続切替部２２を制御して、ＵＰ  ＬＩＮＫ側送受信部２１Ａを選択させる。また、ＰＯＮ  Ｉ／Ｆ制御部２５は、ＵＰ  ＬＩＮＫ側送受信部２１Ａの制御部２１Ａ２に対して動作を開始するように指示する。これにより、ＵＰ  ＬＩＮＫ側送受信部２１Ｂが動作を停止し、接続切替部２２がＵＰ  ＬＩＮＫ側送受信部２１Ａを選択し、また、ＵＰ  ＬＩＮＫ側送受信部２１Ａが動作を開始する。
【００４５】
一方、下位側は図２（ｂ）の１行目に該当するので、総合監視制御部３０は、「下位側Ａ系」を選択すると判断し、ＰＯＮ  Ｉ／Ｆ制御部２５に対して、ＰＯＮ  ＬＩＮＫ側送受信部２３Ｂおよび光電変換部２４Ｂの動作を停止するように指示するとともに、ＰＯＮ  ＬＩＮＫ側送受信部２３Ａを選択するように指示する。また、総合監視制御部３０は、ＰＯＮ  Ｉ／Ｆ制御部２５に対して、ＰＯＮ  ＬＩＮＫ側送受信部２３Ａおよび光電変換部２４Ａの動作を開始するように指示する。この結果、ＰＯＮ  Ｉ／Ｆ制御部２５は、ＰＯＮ  ＬＩＮＫ側送受信部２３Ｂの制御部２３Ｂ２と光電変換部２４Ｂの制御部２４Ｂ２に対して動作を停止するように指示するとともに、接続切替部２２を制御して、ＰＯＮ  ＬＩＮＫ側送受信部２３Ａを選択させる。また、ＰＯＮ  Ｉ／Ｆ制御部２５は、ＰＯＮ  ＬＩＮＫ側送受信部２３Ａの制御部２３Ａ２と光電変換部２４Ａの制御部２４Ａ２に対して動作を開始するように指示する。これにより、ＰＯＮ  ＬＩＮＫ側送受信部２３Ｂおよび光電変換部２４Ｂが動作を停止し、接続切替部２２がＰＯＮ  ＬＩＮＫ側送受信部２３Ａを選択し、また、ＰＯＮ  ＬＩＮＫ側送受信部２３Ａおよび光電変換部２４Ａが動作を開始する。
【００４６】
以上の動作の結果、上位ネットワーク１０から伝送された信号は、ＵＰ  ＬＩＮＫ側送受信部２１Ａ、接続切替部２２、ＰＯＮ  ＬＩＮＫ側送受信部２３Ａ、光電変換部２４Ａ、光伝送路４０Ａ、および、カプラ５０を介して加入者側ＰＯＮ  Ｉ／Ｆ６０−１〜６０ｎに伝送される。また、加入者側ＰＯＮ  Ｉ／Ｆ６０−１〜６０ｎから出力された信号は、同じ経路を介して上位ネットワーク１０に伝送される。
【００４７】
このような状態において、下位側Ａ系において、前述した（２−１）〜（２−５）の少なくとも１の異常が発生したとする。例えば、光伝送路４０Ａが断線したとする。その場合、検出部２３Ａ１または検出部２４Ａ１が異常を検出し、ＰＯＮ  Ｉ／Ｆ制御部２５を介して総合監視制御部３０に通知する。総合監視制御部３０は、下位側Ａ系にて異常が発生していると判断するとともに、このとき下位側Ｂ系が正常である場合には、図２（ｂ）の３行目に該当すると判断する。そして、総合監視制御部３０は、下位側Ａ系を停止させるように指示するとともに、ＰＯＮ  Ｉ／Ｆ制御部２５に対して接続切替部２２にＰＯＮ  ＬＩＮＫ側送受信部２３Ｂを選択させ、また、下位側Ｂ系を動作させるように指示する。ＰＯＮ  Ｉ／Ｆ制御部２５は、制御部２３Ａ２および制御部２４Ａ２に対して動作を停止するように指示するとともに、接続切替部２２にＰＯＮ  ＬＩＮＫ側送受信部２３Ｂを選択させる。また、ＰＯＮ  Ｉ／Ｆ制御部２５は、制御部２３Ｂ２および制御部２４Ｂ２に対して動作を開始するように指示する。この結果、ＵＰ  ＬＩＮＫ側送受信部２１Ａから出力されたデータは、接続切替部２２においてＰＯＮ  ＬＩＮＫ側送受信部２３Ｂに供給され、光電変換部２４Ｂおよび光伝送路４０Ｂを介して加入者側ＰＯＮ  Ｉ／Ｆ６０−１〜６０−ｎに伝送される。また、加入者側ＰＯＮ  Ｉ／Ｆ６０−１〜６０−ｎから出力されたデータは、同じ経路を介して上位ネットワーク１０に伝送される。
【００４８】
つぎに、以上のような状態において、ＵＰ  ＬＩＮＫ側送受信部２１Ａにおいて異常が検出され、ＰＯＮ  Ｉ／Ｆ制御部２５を介して総合監視制御部３０に通知されたとする。その場合、総合監視制御部３０は、ＵＰ  ＬＩＮＫ側送受信部２１Ｂが正常であるか否かを判定し、正常である場合には、図２（ａ）の３行目の状態に該当すると判定し、ＵＰ  ＬＩＮＫ側送受信部２１Ｂを選択するようにＰＯＮ  Ｉ／Ｆ制御部２５に通知する。ＰＯＮ  Ｉ／Ｆ制御部２５は、まず、制御部２１Ａ２に対して動作を停止するように制御し、また、接続切替部２２に対してＵＰ  ＬＩＮＫ側送受信部２１Ｂを選択するように制御し、制御部２１Ｂ２に対して動作を開始するように制御する。この結果、上位ネットワーク１０から供給されるデータは、ＵＰ  ＬＩＮＫ側送受信部２１Ｂ、ＰＯＮ  ＬＩＮＫ側送受信部２３Ｂ、光電変換部２４Ｂ、光伝送路４０Ｂ、カプラ５０を介して加入者側ＰＯＮ  Ｉ／Ｆ６０−１〜６０−ｎに伝送される。また、加入者側ＰＯＮ  Ｉ／Ｆ６０−１〜６０−ｎから出力されるデータは、同じ経路を介して上位ネットワーク１０に供給される。
【００４９】
なお、このような状況において、上位側Ｂ系または下位側Ｂの少なくとも一方が異常になった場合には、図２（ａ）の４行目または図２（ｂ）の４行目に該当することから、総合監視制御部３０は、通信ができないと判断し、異常の発生を、例えば、管理者に対して通知する。なお、この時接続切替部２２は、いずれも接続しない状態としても良いし、直前の接続状態を保持するようにしても良い。
【００５０】
以上に説明したように、本発明の実施形態では、ＵＰ  ＬＩＮＫ側送受信部２１Ａ，２１Ｂを設けるとともに、接続切替部２２によって、これらを選択可能としたので、これらのいずれか一方に異常が発生した場合でも、通信を継続して行うことが可能になる。また、接続切替部２２を用いることで、例えば、上位側と下位側でそれぞれ一方の系が異常となった場合（例えば、上位側Ａ系と下位側Ａ系が異常になった場合）でも通信サービスを継続して提供することができる。
【００５１】
つぎに、図３を参照して、図１に示す実施形態において実行される処理の詳細について説明する。図３に示す処理は、図１に示す総合監視制御部３０およびＰＯＮ  Ｉ／Ｆ制御部２５において実行される。この処理が開始されると、例えば、以下のステップが実行される。
【００５２】
ステップＳ１０では、ＰＯＮ  Ｉ／Ｆ制御部２５は、ＵＰ  ＬＩＮＫ側送受信部２１Ａ，２１Ｂの検出部２１Ａ１，２１Ｂ１の信号出力を参照し、上位側Ａ，Ｂ系の状態を検出する。
【００５３】
ステップＳ１１では、ＰＯＮ  Ｉ／Ｆ制御部２５は、ＰＯＮ  ＬＩＮＫ側送受信部２３Ａ，２３Ｂの検出部２３Ａ１，２３Ｂ１および光電変換部２４Ａ，２４Ｂの検出部２４Ａ１，２４Ｂ１の信号出力を参照し、下位側Ａ，Ｂ系の状態を検出する。
【００５４】
ステップＳ１２では、ＰＯＮ  Ｉ／Ｆ制御部２５は、過去において実行したステップＳ１０およびステップＳ１１の処理で検出した上位側Ａ，Ｂ系の状態および下位側Ａ，Ｂ系の状態と、新たに実行したステップＳ１０およびステップＳ１１の処理で検出した上位側Ａ，Ｂ系の状態および下位側Ａ，Ｂ系の状態とを比較し、状態の変化の有無を判定し、状態の変化があったと判定した場合（ステップＳ１２：Ｙｅｓ）にはステップＳ１３に進み、それ以外の場合（ステップＳ１２：Ｎｏ）にはステップＳ２１に進む。例えば、過去の処理において上位側Ａ系および上位側Ｂ系の双方が正常と判定し、かつ、下位側Ａ系および下位側Ｂ系の双方が正常と判定した場合に、新たな処理において上位側Ａ系が異常と判定した場合には状態が変化したと判定してステップＳ１３に進む。
【００５５】
ステップＳ１３では、総合監視制御部３０は、上位側Ａ，Ｂ系の動作対象を特定する。詳細には、総合監視制御部３０は、ステップＳ１０で検出した上位側Ａ，Ｂ系の状態により、例えば、上位側Ａ系が異常である場合には、図２（ａ）の３行目に示すように、上位側Ｂ系を動作対象として選択する。
【００５６】
ステップＳ１４では、総合監視制御部３０は、下位側Ａ，Ｂ系の動作対象を特定する。詳細には、総合監視制御部３０は、ステップＳ１１で検出した下位側Ａ，Ｂ系の状態により、例えば、下位側Ａ，Ｂ系の双方が正常である場合には、図２（ｂ）の１行目に示すように、下位側Ａ系を動作対象として選択する。
【００５７】
ステップＳ１５では、総合監視制御部３０は、ステップＳ１３，Ｓ１４で特定した動作対象を参照し、接続切替部２２の接続方法を特定する。例えば、上位側Ｂ系と下位側Ａ系が選択されている場合には、図２（ｃ）の３行目に示す交差接続が選択される。
【００５８】
ステップＳ１６では、総合監視制御部３０は、上位側Ａ，Ｂ系のうち、動作対象でない方の動作を停止する。例えば、上位側Ａ系が動作対象でない場合には、総合監視制御部３０は、制御部２１Ａ２に対して動作を停止するように要求する。
【００５９】
ステップＳ１７では、総合監視制御部３０は、下位側Ａ，Ｂ系のうち、動作対象でない方の動作を停止する。例えば、下位側Ｂ系が動作対象でない場合には、総合監視制御部３０は、制御部２３Ｂ２および制御部２４Ｂ２に対して動作を停止するように要求する。
【００６０】
ステップＳ１８では、総合監視制御部３０は、ステップＳ１５で特定した接続状態になるように、接続切替部２２の接続状態を変更させる。例えば、上位側Ｂ系と下位側Ａ系が選択されている場合には、接続切替部２２は、図２（ｃ）の３行目に示すように、交差接続状態に変更される。
【００６１】
ステップＳ１９では、総合監視制御部３０は、上位側Ａ，Ｂ系のうち、動作対象の動作を開始させる。例えば、上位側Ｂ系が動作対象である場合には、総合監視制御部３０は、制御部２１Ｂ２に対して動作を開始するように要求する。
【００６２】
ステップＳ２０では、総合監視制御部３０は、下位側Ａ，Ｂ系のうち、動作対象の動作を開始させる。例えば、下位側Ａ系が動作対象である場合には、総合監視制御部３０は、制御部２３Ａ２および制御部２４Ａ２に対して動作を開始するように要求する。この結果、ＵＰ  ＬＩＮＫ側送受信部２１Ｂから出力されたデータは、ＰＯＮ  ＬＩＮＫ側送受信部２３Ａ、光電変換部２４Ａ、および、光伝送路４０Ａを介して加入者側ＰＯＮ  Ｉ／Ｆ６０−１〜６０−ｎに伝送され、加入者側ＰＯＮ  Ｉ／Ｆ６０−１〜６０−ｎから出力されたデータは、同じ経路を介して、上位ネットワーク１０に伝送される。
【００６３】
ステップＳ２１では、総合監視制御部３０は、処理を終了するか否かを判定し、終了しないと判定した場合（ステップＳ２１：Ｎｏ）にはステップＳ１０に戻って前述の場合と同様の処理を繰り返し、それ以外の場合（ステップＳ２１：Ｙｅｓ）には処理を終了する。例えば、装置の電源がオフの状態にされた場合には、Ｙｅｓと判定して処理を終了する。
【００６４】
以上に説明した処理によれば、上位側Ａ，Ｂ系および下位側Ａ，Ｂ系の異常の有無に応じて、接続切替部２２を切り替えることが可能になる。この結果、下位側Ａ，Ｂ系の一方が故障した場合だけでなく、上位側Ａ，Ｂ系の一方が故障した場合であっても、通信サービスが継続されなくなる可能性を低減することができる。
【００６５】
（Ｃ）本発明の第２実施形態の構成の説明
つぎに、本発明の第２実施形態について説明する。図４は、本発明の第２実施形態の構成例を示す図である。なお、この図において、図１と対応する部分には同一の符号を付してその説明を省略する。図４では、図１と比較すると、カプラ５０が除外され、カプラ７０−１，７０−２とカプラ７１−１〜７１−ｎが新たに追加されている。これら以外の構成は、図１の場合と同様である。カプラ７０−１は、１：ｎカプラによって構成され、光伝送路４０Ａから出力される光信号をｎ分波してカプラ７１−１〜７１−ｎに出力するとともに、カプラ７１−１〜７１−ｎから供給される光信号を合波し、光伝送路４０Ａに送出する。カプラ７０−２も同様に、１：ｎカプラによって構成され、光伝送路４０Ｂから出力される光信号をｎ分波してカプラ７１−１〜７１−ｎに出力するとともに、カプラ７１−１〜７１−ｎから供給される光信号を合波し、光伝送路４０Ｂに送出する。カプラ７１−１〜７１−ｎは、カプラ７０−１，７０−２から供給される光信号を合波して加入者側ＰＯＮ  Ｉ／Ｆ６０−１〜６０−ｎに供給するとともに、加入者側ＰＯＮ  Ｉ／Ｆ６０−１〜６０−ｎから出力される光信号を分波してカプラ７０−１，７０−２に供給する。
【００６６】
（Ｄ）本発明の第２実施形態の動作の説明
つぎに、本発明の第２実施形態の動作について説明する。第２実施形態では、通信事業者側ＰＯＮ  Ｉ／Ｆ２０の動作は、第１実施形態の場合と同様であるのでその説明は省略する。第２実施形態では、接続切替部２２によって下位側Ａ系が選択された場合には、光電変換部２４Ａから出力された光信号は、光伝送路４０Ａを介してカプラ７０−１に伝送される。カプラ７０−１は、光信号を分波してカプラ７１−１〜７１−ｎに供給する。カプラ７１−１〜７１−ｎは、カプラ７０−１，７０−２から供給された光信号を合波して加入者側ＰＯＮ  Ｉ／Ｆ６０−１〜６０−ｎに供給する。加入者側ＰＯＮ  Ｉ／Ｆ６０−１〜６０−ｎは、光信号を電気信号に変換して、ＰＣ６１−１〜６１−ｎに供給する。ＰＣ６１−１〜６１−ｎは、加入者側ＰＯＮ  Ｉ／Ｆ６０−１〜６０−ｎから供給されるデータに基づいて、テキストデータ、図形データ、および、映像データ等を提示する。また、ＰＣ６１−１〜６１−ｎから出力されたデータは、加入者側ＰＯＮ  Ｉ／Ｆ６０−１〜６０−ｎに供給され、そこで光信号に変換された後、カプラ７１−１〜７１−ｎに供給される。カプラ７１−１〜７１−ｎは、光信号を分波して、カプラ７０−１，７０−２に供給する。カプラ７０−１，７０−２は、カプラ７１−１〜７１−ｎから供給される光信号を合波して、光伝送路４０Ａ，４０Ｂを介して伝送する。光伝送路４０Ａを伝送された光信号は、光電変換部２４Ａによって電気信号に変換される。
【００６７】
一方、接続切替部２２によって下位側Ｂ系が選択された場合には、光電変換部２４Ｂから出力された光信号は、光伝送路４０Ｂを介してカプラ７０−２に伝送される。カプラ７０−２は、光信号を分波してカプラ７１−１〜７１−ｎに供給する。カプラ７１−１〜７１−ｎは、カプラ７０−１，７０−２から供給された光信号を合波して加入者側ＰＯＮ  Ｉ／Ｆ６０−１〜６０−ｎに供給する。加入者側ＰＯＮ  Ｉ／Ｆ６０−１〜６０−ｎは、光信号を電気信号に変換して、ＰＣ６１−１〜６１−ｎに供給する。ＰＣ６１−１〜６１−ｎは、加入者側ＰＯＮ  Ｉ／Ｆ６０−１〜６０−ｎから供給されるデータに基づいて、テキストデータ、図形データ、および、映像データ等を提示する。また、ＰＣ６１−１〜６１−ｎから出力されたデータは、加入者側ＰＯＮ  Ｉ／Ｆ６０−１〜６０−ｎに供給され、そこで光信号に変換された後、カプラ７１−１〜７１−ｎに供給される。カプラ７１−１〜７１−ｎは、光信号を分波して、カプラ７０−１，７０−２に供給する。カプラ７０−１，７０−２は、カプラ７１−１〜７１−ｎから供給される光信号を合波して、光伝送路４０Ａ，４０Ｂを介して伝送する。光伝送路４０Ｂを伝送された光信号は、光電変換部２４Ｂによって電気信号に変換される。
【００６８】
以上に説明したように、本発明の第２実施形態によっても、第１実施形態と同様に、上位側において異常が発生した場合でも、通信サービスが継続されなくなる可能性を低減することができる。
【００６９】
（Ｅ）変形実施形態の説明
以上の実施形態および実行される処理は一例であって、本発明が上述したような場合のみに限定されるものでないことはいうまでもない。例えば、以上の実施形態では、接続切替部２２を備えるようにしたが、図５に示すように、接続切替部２２を除外した構成としてもよい。すなわち、図５に示す変形実施形態では、図１と比較すると、接続切替部２２が除外されている。図５に示す変形実施形態では、総合監視制御部３０は、ＵＰ  ＬＩＮＫ側送受信部２１Ａ、ＰＯＮ  ＬＩＮＫ側送受信部２３Ａ、光電変換部２４Ａのいずれかに異常が発生した場合には、ＵＰ  ＬＩＮＫ側送受信部２１Ａ、ＰＯＮ  ＬＩＮＫ側送受信部２３Ａ、および、光電変換部２４Ａの動作を停止させるとともに、ＵＰ  ＬＩＮＫ側送受信部２１Ｂ、ＰＯＮ  ＬＩＮＫ側送受信部２３Ｂ、および、光電変換部２４Ｂの動作を開始させる。また、ＵＰ  ＬＩＮＫ側送受信部２１Ｂ、ＰＯＮ  ＬＩＮＫ側送受信部２３Ｂ、光電変換部２４Ｂのいずれかに異常が発生した場合には、ＵＰ  ＬＩＮＫ側送受信部２１Ｂ、ＰＯＮ  ＬＩＮＫ側送受信部２３Ｂ、および、光電変換部２４Ｂの動作を停止させるとともに、ＵＰ  ＬＩＮＫ側送受信部２１Ａ、ＰＯＮ  ＬＩＮＫ側送受信部２３Ａ、および、光電変換部２４Ａの動作を開始させる。このような変形実施形態では、図１および図４に示す実施形態に比較すると、接続切替部２２を有しないので、例えば、異なる系（例えば、上位側Ｂ系と下位側Ａ系）に異常が生じた場合には、動作することができない。しかしながら、上位側Ａ，Ｂ系のいずれかに異常が生じた場合には、異常が発生した系を停止させるとともに、他方の系の動作を開始させることで、上位側の故障によって通信サービスが停止することを防止できる。
【００７０】
また、以上の各実施形態では、ＰＯＮ  ＬＩＮＫ側送受信部２３Ａ，２３Ｂおよび光電変換部２４Ａ，２５Ｂは独立した構成としたが、例えば、ＰＯＮ  ＬＩＮＫ側送受信部２３Ａと光電変換部２４Ａを１の構成とし、また、ＰＯＮ  ＬＩＮＫ側送受信部２３Ｂと光電変換部２４Ｂを１の構成としてもよい。
【００７１】
また、以上の各実施形態では、通信事業者側ＰＯＮ  Ｉ／Ｆ２０は１台だけ存在する場合を例に挙げて説明したが、通信事業者側ＰＯＮ  Ｉ／Ｆが複数存在する構成としてもよいことはいうまでもない。
【００７２】
また、以上の各実施形態では、総合監視制御部３０を有する構成としたが、総合監視制御部３０を除外して、ＰＯＮ  Ｉ／Ｆ制御部２５が総合監視制御部３０の機能を有する構成としてもよい。
【００７３】
また、以上の各実施形態では、接続切替部２２は、平行接続または交差接続のいずれかの状態をとるようにしたが、例えば、ポートＰ１，Ｐ２の一方と、ポートＰ３，Ｐ４の一方とが接続され、他方は接続しないようにしてもよい。
【００７４】
また、以上の実施形態では、接続切替部２２の上位側、下位側双方の接続ポートを各々２つずつとしたが、各々３つ以上ずつ有する構成としてもよい。この様な構成とする事で、信号の異常に対してより柔軟に対応する事が出来る。なお、上位側ポート数をＮ個、下位側ポート数をＭ個とすると、冗長可能な伝送路の数をＮ×Ｍとする事ができ、簡易に複数の伝送路を設定できるため好ましい。
【００７５】
また、以上の実施形態では、上位側、下位側それぞれにおいてＡ系、Ｂ系が正常かどうかに基づいて接続状態を切り替える構成としたが、双方の信号状態を検出し、信号の品質がより良くなるように接続状態の組み合わせを適宜選択するようにしてもよい。
【００７６】
また、以上の実施携形態では、接続切替部２２の下位側Ａ系の異常を検出した場合に、制御部２３Ａ２および制御部２４Ａ２に対して動作を停止するよう制御を行う構成としたが、光電変換部の制御部２４Ａ２のみ動作を停止、または他方の系に影響のない範囲で出力強度を低下するよう制御を行う構成としてもよい。この様な構成とする事で、より簡易な制御で異常が発生した系を停止させることができる。なお、Ｂ系も同様の構成としてもよい。
【００７７】
また、以上の実施形態では、ＰＯＮ  Ｉ／Ｆ制御部２５が上位側Ａ，Ｂ系の状態および下位側Ａ，Ｂ系の状態を検出する構成としたが、必要に応じて、上位側Ａ，Ｂ系のいずれか一方の状態、および下位側Ａ，Ｂ系のうちいずれか一方の状態のみを検出する構成としても良い。例えば、接続切替部２２によって上位側Ａ系、下位側Ａ系が選択されている場合には、これら上位側Ａ系、下位側Ａ系の状態を検出し、上位側Ｂ系、下位側Ｂ系の状態を検出しない構成としてもよい。尚、このような場合、上位側Ａ系、下位側Ａ系のいずれかまたは双方において異常が発生した際に対応するＢ系の状態を検出し、該対応するＢ系の状態が正常である場合に、接続切替部２２の接続状態を変更する制御を行うようにしてもよい。この様な構成とする事で、使用していない系をリンクの断等異常状態と判断することを防止できる。
【００７８】
また、以上の実施形態において、光電変換部２４Ａ,２４Ｂから光伝送路に供給される光信号の波長を同じにしても、異なるようにしてもよい。異なる波長とした場合、一方の光電変換部に接続されたＰＯＮ  ＬＩＮＫ側送受信部の動作を停止、または他方に影響のない程度に光信号の強度を抑制する事で、双方の光電変換部の動作を停止させずに通信を行う事が可能である。
【符号の説明】
【００７９】
１０  上位ネットワーク
２０  通信事業者側ＰＯＮ  Ｉ／Ｆ（通信事業者側回線終端装置）
２１Ａ，２１Ｂ  ＵＰ  ＬＩＮＫ側送受信部（第１，第２上位側送受信手段）
２１Ａ１，２１Ｂ１，２３Ａ１，２３Ｂ１，２４Ａ１，２４Ｂ１  検出部
２１Ａ２，２１Ｂ２，２３Ａ２，２３Ｂ２，２４Ａ２，２４Ｂ２  制御部
２２  接続切替部（接続手段）
２３Ａ，２３Ｂ  ＰＯＮ  ＬＩＮＫ側送受信部（第１，第２下位側送受信手段の一部）
２４Ａ，２４Ｂ  光電変換部（第１，第２光電変換手段）
２５  ＰＯＮ  Ｉ／Ｆ制御部（制御手段の一部）
３０  総合監視制御部（制御手段の一部）
４０Ａ，４０Ｂ  光伝送路（第１，第２伝送路）
５０  カプラ
６０−１〜６０−ｎ  加入者側ＰＯＮ  Ｉ／Ｆ（加入者側回線終端装置）
６１−１〜６１−ｎ  ＰＣ
７０−１，７０−２  カプラ
７１−１〜７１−ｎ  カプラ
【図１】
2016195343.tif 000003
【図２】
2016195343.tif 000004
【図３】
2016195343.tif 000005
【図４】
2016195343.tif 000006
【図５】
2016195343.tif 000007
【図６】
2016195343.tif 000008